(57)【要約】【課題】本考案は、粘膜擦過用ブラッシュの毛の太さを、同ブラッシュの先端部から基端部まで順次変えるようにして、ほぼ一様なしなやかさのブラッシュとすることにより、細胞の採取を適切に行えるようにした子宮頸癌検診用細胞採取器具を提供することを課題とする。【解決手段】把持部10を有する棒状体11に装着された粘膜擦過用のブラッシュ12が、頸管内膜擦過用の截頭円錐状の先端ブラッシュ部12Ａと、頸管内膜と膣部との間の移行帯を擦過するための截頭円錐状の中間ブラッシュ部12Ｂとを連続的に具えるとともに、中間ブラッシュ部12Ｂに連続する膣部擦過用の大径ブラッシュ部12Ｃを具え、ブラッシュ全体としての毛のしなやかさがほぼ一様となるように、各ブラッシュ部12Ａ，12Ｂ，12Ｃの順に、毛の太さが順次太くなるように設定されている。【選択図】  図１
0003112011.tif 000002
【実用新案登録請求の範囲】
【請求項１】
医師が子宮頸癌の検診時に把持するための把持部を基端に備えた棒状体と、同棒状体の先端部に同心的に設けられたブラッシュとを具え、同ブラッシュが、上記棒状体の最先端部に同心的に装着された頸管内膜擦過用の截頭円錐状先端ブラッシュ部と、上記頸管内膜と膣部との間の移行帯を擦過すべく上記先端ブラッシュ部に連続して順次直径が大きくなるように上記棒状体に同心的に装着された移行帯擦過用の截頭円錐状中間ブラッシュ部と、同中間ブラッシュ部に連続して上記棒状体に同心的に装着された膣部擦過用の円柱状の大径ブラッシュ部とにより形成されており、上記ブラッシュ全体としての毛のしなやかさがほぼ一様となるように、上記先端ブラッシュ部における毛の太さが上記中間ブラッシュ部における毛の太さよりも小径であり、かつ、上記中間ブラッシュ部における毛の太さが上記大径ブラッシュ部における毛の太さよりも小径であることを特徴とする、子宮頸癌検診用細胞採取器具。
【請求項２】
上記ブラッシュにおける毛の先端部が多数の枝毛の状態に加工されていることを特徴とする、請求項１に記載の子宮頸癌検診用細胞採取器具。
【請求項３】
上記ブラッシュにおける毛の先端部が半球面状に加工されていることを特徴とする、請求項１に記載の子宮頸癌検診用細胞採取器具。
【考案の詳細な説明】
【技術分野】
【０００１】
本考案は、医師が子宮頸癌の検診時に操作するための細胞採取器具に関する。
【背景技術】
【０００２】
一般に、子宮頸癌検診に際しては、図４に示す頸管内膜Ａ，移行部Ｂおよび膣部Ｃについて、図３，４に示すような円錐状ブラッシュ１の棒状体２を、そのハンドル２ａの操作（図４参照）により回動させて、各部位Ａ，Ｂ，Ｃをブラッシュ１で擦過して表層の細胞を付着させるようにしながら、細胞の採取を行うことが実施されている。
【特許文献１】特開平５−３１１１５号公報
【考案の開示】
【考案が解決しようとする課題】
【０００３】
前述のような従来のブラッシュ１では、ほぼ一様な太さの毛が用いられているため、毛の短いブラッシュ先端部では高い剛性により粘膜に対する擦過力が大きく、ブラッシュ基端部へ向け毛の長さが長くなるにつれ、その擦過力は順次小さくなるという不具合があり、これにより細胞の採取が一様には行われないという問題点がある。
【０００４】
そこで、本考案は、ほぼ円錐状の粘膜擦過用ブラッシュの毛の太さを、同ブラッシュの先端部から基端部まで順次変えるようにして、ほぼ一様なしなやかさのブラッシュとすることにより、細胞の採取を適切に行えるようにした子宮頸癌検診用細胞採取器具を提供することを課題とする。
【課題を解決するための手段】
【０００５】
前述の課題を解決するため、本考案の子宮頸癌検診用細胞採取器具は、医師が子宮頸癌の検診時に把持するための把持部を基端に備えた棒状体と、同棒状体の先端部に同心的に設けられたブラッシュとを具え、同ブラッシュが、上記棒状体の最先端部に同心的に装着された頸管内膜擦過用の截頭円錐状先端ブラッシュ部と、上記頸管内膜と膣部との間の移行帯を擦過すべく上記先端ブラッシュ部に連続して順次直径が大きくなるように上記棒状体に同心的に装着された移行帯擦過用の截頭円錐状中間ブラッシュ部と、同中間ブラッシュ部に連続して上記棒状体に同心的に装着された膣部擦過用の円柱状の大径ブラッシュ部とにより形成されており、上記ブラッシュ全体としての毛のしなやかさがほぼ一様となるように、上記先端ブラッシュ部における毛の太さが上記中間ブラッシュ部における毛の太さよりも小径であり、かつ、上記中間ブラッシュ部における毛の太さが上記大径ブラッシュ部における毛の太さよりも小径であることを特徴としている。
【０００６】
また、本考案の子宮頸癌検診用細胞採取器具は、上記ブラッシュにおける毛の先端部が多数の枝毛の状態に加工されていることを特徴としている。
【０００７】
さらに、本考案の子宮頸癌検診用細胞採取器具は、上記ブラッシュにおける毛の先端部が半球面状に加工されていることを特徴としている。
【考案の効果】
【０００８】
上述の本考案の子宮頸癌検診用細胞採取器具では、頸管内膜擦過用の毛の短い先端ブラッシュ部における毛の太さが、同先端ブラッシュ部よりも毛の長い移行帯擦過用の中間ブラッシュ部の毛の太さよりも小径とされ、さらに膣部擦用の大径ブラッシュ部における毛の太さは上記中間ブラッシュ部における毛の太さよりも太くされるので、ブラッシュ全体としての毛のしなやかさは、同ブラッシュの先端部から基端部までほぼ一様となる。
【０００９】
このようにして、ブラッシュ全体の毛が一様なしなやかさを有することにより、使用時において頸管内膜，移行帯および膣部に対する各ブラッシュ部の擦過力も一様となり、各ブラッシュ部の毛の先端部に付着した細胞に基づく医師の診断が的確に行われるようになる。
【００１０】
また、上記ブラッシュにおける毛の先端部がヤスリなどにより多数の枝毛の状態に加工されていると、使用時における生体への当たりを緩和しながら、毛の先端部への細胞の付着が適切に行われるようになる。
【００１１】
さらに、上記ブラッシュにおける毛の先端部が加熱手段などにより半球面状に加工されている場合も、使用時における生体への当たりを緩和しながら、細胞をブラッシュ内へ適切に取り込むことが可能になる。
【考案を実施するための最良の形態】
【００１２】
本考案のブラッシュにおける毛の材質としては、ナイロンなどを用いて、毛の先端部をヤスリで加工して枝毛状にしたり、加熱により毛の先端部を半球面状に加工したりすることができる。また、上記ブラッシュの毛としてヤギ毛を採用すれば、その毛には微細な枝毛が無数に形成されている。
【実施例】
【００１３】
図１は本考案の一実施例としての子宮頸癌検診用細胞採取器具を示す側面図、図２は図１の子宮頸癌検診用細胞採取器具におけるブラッシュの毛の太さを模式的に示す説明図である。
【００１４】
図１に示すように、医師が子宮頸癌の検診時に把持するための把持部10を基端に備えた棒状体11の先端部に、ブラッシュ12が同心的に設けられており、棒状体11はブラッシュ12の毛を保持するためステンレス鋼等の針金を撚り合わせて形成されている。
【００１５】
ブラッシュ12は、棒状体11の最先端部に同心的に装着された頸管内膜擦過用の截頭円錐状先端ブラッシュ部12Ａと、頸管内膜と膣部との間の移行帯を擦過できるように先端ブラッシュ部12Ａに連続して棒状体11に同心的に装着されながら順次直径を大きくされた移行帯擦過用截頭円錐状中間ブラッシュ部12Ｂとを具えるとともに、同中間ブラッシュ部12Ｂに連続して棒状体11に同心的に装着された膣部擦過用の円柱状の大径ブラッシュ部12Ｃを具えるようにして形成されている。
【００１６】
そして、ブラッシュ12は、図２に模式的に示すように、先端ブラッシュ部12Ａにおける毛について、中間ブラッシュ部12Ｂにおけるの太さよりも細くなるように小径の材質のものを用い、また中間ブラッシュ12Ｂにおける毛については、大径ブラッシュ部12Ｃにおける毛の太さよりも小径の材質のものが用いられる。
【００１７】
また、各ブラッシュ部12Ａ，12Ｂ，12Ｃにおける毛の先端部は、ヤスリ掛けなどの手段で多数の枝毛の状態に加工されるか、または加熱手段により半球面状に加工される。
【００１８】
上述の本実施例の子宮頸癌検診用細胞採取器具では、頸管内膜擦過用の毛の短い先端ブラッシュ部12Ａにおける毛の太さが、同先端ブラッシュ部12Ａよりも毛の長い移行帯擦過用の中間ブラッシュ部12Ｂの毛の太さよりも小径とされ、さらに膣部擦用の大径ブラッシュ部12Ｃにおける毛の太さは中間ブラッシュ部12Ｂにおける毛の太さよりも太くされるので、ブラッシュ12全体としての毛のしなやかさは、同ブラッシュ12の先端部から基端部までほぼ一様となる。
【００１９】
このようにして、ブラッシュ12全体の毛が一様なしなやかさを有することにより、使用時おいて頸管内膜，移行帯および膣部に対する各ブラッシュ部12Ａ，12Ｂ，12Ｃの擦過力も一様となり、各ブラッシュ部12Ａ，12Ｂ，12Ｃの毛の先端部に付着した細胞に基づく医師の診断が的確に行われるようになる。
【００２０】
また、ブラッシュ12における毛の先端部が多数の枝毛の状態に加工されていると、使用時における生体への当たりを緩和しながら、毛の先端部への細胞の付着が適切に行われるようになる。
【００２１】
さらに、ブラッシュ12における毛の先端部が加熱手段などにより半球面状に加工されている場合も、使用時における生体への当たりを緩和しながら、細胞をブラッシュ内へ適切に取り込むことが可能になる。
【図面の簡単な説明】
【００２２】
【図１】本考案の一実施例としての子宮頸癌検診用細胞採取器具を示す側面図である。
【図２】図１の子宮頸癌検診用細胞採取器具におけるブラッシュの毛の太さを模式的に示す説明図である。
【図３】従来の子宮頸癌検診用細胞採取器具としてのブラッシュを示す側面図である。
【図４】ブラッシュを用いて細胞を採取する要領を示す説明図である。
【符号の説明】
【００２３】
１  ブラッシュ
２  棒状体
２ａ  ハンドル
10  把持部
11  棒状体
12  ブラッシュ
12Ａ  先端ブラッシュ部
12Ｂ  中間ブラッシュ部
12Ｃ  大径ブラッシュ部
Ａ  頸管内膜
Ｂ  移行帯
Ｃ  膣部
【図１】
0003112011.tif 000003
【図２】
0003112011.tif 000004
【図３】
0003112011.tif 000005
【図４】
0003112011.tif 000006